(57)【要約】【課題】過去に発散した所望の芳香を再現して発散できるようにすること。【解決手段】通信端末装置１００は、発散要求に応じて通知部１４０の芳香発散部１４１が過去に発散した芳香、及び発煙部１４２が過去に発煙した発散履歴をメモリ１９０に蓄積し、当該発散履歴を、表示部１４４のディスプレイに表示するアイコン、発音部１４３のスピーカから流すメロディ、振動部１４５のバイブレータの振動パターン、発光部１４６のＬＥＤの発光パターンなどの芳香やスモークに代わる提示情報に置き換えて提示する。この通信端末装置１００によれば、メモリ１９０に蓄積した発散履歴に基づいて、過去に発散した所望の芳香やスモークを繰り返し再現して発散させることができる。【選択図】図１
2009021703.tif 000002
【特許請求の範囲】
【請求項１】
発散要求に応じて芳香を発散する芳香発散部と、
前記芳香発散部が過去に発散した芳香の発散履歴を作成する発散履歴作成部と、
前記発散履歴を芳香に代わる提示情報に置き換えて提示する発散履歴提示部と、
を具備する通信端末装置。
【請求項２】
前記提示情報を、端末の表示部にアイコン表示する
請求項１に記載の通信端末装置。
【請求項３】
前記提示情報は、前記発散履歴に記録された芳香と、当該芳香の発散時の端末動作とを関連付けるリンク情報を有する
請求項１に記載の通信端末装置。
【請求項４】
前記提示情報は、前記リンク情報に基づいて端末を動作させた際に、前記発散履歴に記録された芳香の発散を再現する履歴情報を有する
請求項３に記載の通信端末装置。
【請求項５】
前記リンク情報に基づいて端末を動作させた際に、前記発散履歴に記録された芳香の発散に代わる通知方法によって前記発散要求を通知する通知手段をさらに具備する
請求項３に記載の通信端末装置。
【請求項６】
前記発散履歴作成部は、前記発散要求が新規な芳香の発散を要求している場合に、既存の芳香原料の中から選択または複数の芳香原料を合成した新たな芳香を、当該発散要求に対応した芳香として前記発散履歴を作成する
請求項１に記載の通信端末装置。
【請求項７】
前記新規な芳香の提示情報を、既存のアイコンの中から選択して端末の表示部にアイコン表示する
請求項６に記載の通信端末装置。
【請求項８】
前記芳香の芳香特性を複数の特性パターンに区分し、各特性パターンに関連付けた複数のアイコンパーツを組み合わせることにより、前記提示情報に対応するアイコンを生成する
請求項２に記載の通信端末装置。
【請求項９】
前記複数のアイコンパーツの組み合わせにより生成されたアイコンは、当該アイコンパーツのそれぞれに関連付けられた各特性パターンの芳香を混合して発散させる芳香発散情報を有する
請求項８に記載の通信端末装置。
【発明の詳細な説明】
【技術分野】
【０００１】
本発明は、着信通知やスケジュール通知等を芳香の発散により通知する芳香発散機能を備えた携帯電話機等の通信端末装置に関する。
【背景技術】
【０００２】
近年、携帯電話機等の通信端末装置の分野では、通信エリアや通信速度といった基本的な機能だけでなく、“着メロ”“デザイン”などのように、“楽しい”“面白い”といった情緒面の付加価値を持たせることも重要になってきている。
【０００３】
このような付加価値を持たせた携帯電話機として、着信通知やスケジュール通知等を、芳香（におい）の発散によって通知するものがある（特許文献１参照）。これにより、ユーザは、携帯電話機を身につけていない状態でも着信等の通知を認識できるようになる。また、この携帯電話機では、特定の電話番号とこれに対応する臭いの種類を記憶し、着信信号とともに受信した電話番号を記憶されている電話番号と照合し、この照合により特定された電話番号に対応する種類の臭いを発臭するようにしている。これにより、着信により発臭する臭いの種類によって発信者を識別することが可能になる。
【特許文献１】特開２００２−６４５９４号公報
【発明の開示】
【発明が解決しようとする課題】
【０００４】
しかしながら、前記従来の携帯電話機では、予め記憶されて特定された電話番号に対応する種類の臭いを発臭することはできるが、種々の端末操作とリンクさせて所望の芳香を繰り返し再現して発散させることはできない。
【０００５】
本発明は、過去に発散した所望の芳香を再現して発散することが可能な通信端末装置を提供することである。
【課題を解決するための手段】
【０００６】
本発明の通信端末装置は、発散要求に応じて芳香を発散する芳香発散部と、前記芳香発散部が過去に発散した芳香の発散履歴を作成する発散履歴作成部と、前記発散履歴を芳香に代わる提示情報に置き換えて提示する発散履歴提示部と、を具備する構成を採る。
【発明の効果】
【０００７】
本発明によれば、発散履歴作成部により作成した発散履歴に基づいて、過去に発散した所望の芳香を繰り返し再現して発散させることができる。また、本発明によれば、僅かな種類の芳香源原料しか搭載できない端末の場合であっても、各芳香原料を組み合わせて（混合比率を変えて）生成した匂いの異なる芳香を一度発散することにより、その発散履歴から同じ匂いの芳香を再現して発散することができるので、芳香とリンク付け可能なリンク対象数を大幅に増大させることができる。
【発明を実施するための最良の形態】
【０００８】
以下、本発明の実施の形態について、図面を参照して詳細に説明する。なお、各図において同様の構成または機能を有する構成要素及び相当部分には、同一の符号を付してその説明は繰り返さない。
【０００９】
図１に、本発明の一実施の形態に係る通信端末装置の構成を示す。この通信端末装置１００は、大きく分けて、芳香、スモーク及び消臭剤を発散する発散装置本体１００Ａと、無線通信を行う携帯端末本体１００Ｂと、の２つの部分で構成される。なお、発散装置本体１００Ａは、携帯端末本体１００Ｂと一体あるいは別体の何れの構成であってもよい。ここで、発散装置本体１００Ａを携帯端末本体１００Ｂと別体に構成する場合には、発散装置本体１００Ａを、例えば携帯端末本体１００Ｂの電源充電用の卓上ホルダ型充電器に組み込んだ構成、あるいはユーザが常時携帯可能な構成とするなど、ユーザが芳香の発散を速やかに認識できるように構成することが望ましい。
【００１０】
図示の通信端末装置１００における発散装置本体１００Ａは、発散抑止部１１０、原料蓄積部１２０、を備えて構成される。発散抑止部１１０は、発散している芳香を抑止するための抑止手段である送風部１１１、吸引部１１２、消臭剤噴射部１１３、消煙剤噴射部１１４を備えている。送風部１１１は、発散される芳香を素早く吹き飛ばして芳香の発散を抑止する送風器（ファン）を備えている。吸引部１１２は、発散される芳香を素早く吸い込んで芳香の発散を抑止する吸引器を備えている。消臭剤噴射部１１３は、発散される芳香に消臭剤を噴射して芳香の発散を抑止する消臭剤噴射口を備えている。消煙剤噴射部１１４は、発散されるスモークに消煙剤を噴射してスモークの発散を抑止する消煙剤噴射口を備えている。ここで、芳香（又はスモーク）の抑止は、ユーザが予め設定して選択した抑止方法により行われる。例えば、送風部１１１により芳香（スモーク）を抑止する方法を選択した場合には、送風器（ファン）による送風処理が行われる。また、吸引部１１２により芳香（又はスモーク）を抑止する方法を選択した場合には、吸引器による吸引処理が行われる。また、消臭剤噴射部１１３により芳香を抑止する方法を選択した場合には、消臭剤噴射による消臭処理が行われる。さらに、消煙剤噴射部１１４によりスモークを抑止する方法を選択した場合には、消煙剤噴射による消煙処理が行われる。
【００１１】
原料蓄積部１２０は、芳香原料１２１、発煙（スモーク）原料１２２、消臭剤１２３、消煙剤１２４を蓄積するための容器を備えている。ここで、芳香原料１２１の容器としては、例えば、ミント系、柑橘系、アロマ系などの複数の香料を個別に収容でき、かつ容易に交換可能なカートリッジタイプのものが好ましい。また、消臭剤１２３及び消煙剤１２４の容器としては、不燃性ガスにより消臭剤１２３及び消煙剤１２４を噴射するガスボンベが好ましい。
【００１２】
一方、図示の通信端末装置１００における携帯端末本体１００Ｂは、制御部１３０、通知部１４０、センシング部１５０、無線部１６０、ユーザＩ／Ｆ１７０、タイマー１８０、メモリ１９０、を備えて構成される。制御部１３０は、発散／消臭制御部１３１、発煙／消煙制御部１３２、を備えている。発散／消臭制御部１３１は、原料蓄積部１２０の芳香原料１２１を通知部１４０の芳香発散部１４１から発散する際の発散制御、及び原料蓄積部１２０の消臭剤１２３を発散抑止部１１０の消臭剤噴射部１１３から噴射する際の消臭制御を行う。発煙／消煙制御部１３２は、原料蓄積部１２０の発煙（スモーク）原料１２２を通知部１４０の発煙部１４２から発煙する際の発煙制御、及び原料蓄積部１２０の消煙剤１２４を発散抑止部１１０の消煙剤噴射部１１４から噴射する際の消煙制御を行う。
【００１３】
通知部１４０は、芳香発散部１４１、発煙部１４２、発音部１４３、表示部１４４、振動部１４５、発光部１４６、を備え、これらの何れかにより、着信等をユーザに通知する。芳香発散部１４１は、芳香を発散する発散孔を備え、発散／消臭制御部１３１の指令により原料蓄積部１２０の芳香原料１２１を発散孔から気中に発散することで着信等をユーザに通知する。発煙部１４２は、スモークを噴出する発散孔を備え、発煙／消煙制御部１３２の指令により原料蓄積部１２０の発煙（スモーク）原料１２２を発散孔からスモーク状にして噴出することで着信等をユーザに通知する。発音部１４３は、スピーカにより音声やメロディー（着メロ）を流すことで着信等をユーザに通知する。表示部１４４は、液晶パネルなどからなるディスプレイに着信情報等を表示することで着信等をユーザに通知する。振動部１４５は、バイブレータを振動させることで着信等をユーザに通知する。発光部１４６は、ＬＥＤなどの発光素子を点滅させることで着信等をユーザに通知する。
【００１４】
なお、芳香発散部１４１の芳香を発散する発散孔は、芳香の発散量や発散方向を調整することができる構造を有している。例えば、この芳香発散部１４１の発散孔は、発散する芳香原料１２１の残量が少なかったり、端末周辺の環境が多量の芳香発散に適さなかったりする場合に、芳香の発散量を制限するように動作することができる。また、この発散孔は、芳香の発散方向が好ましくない場合に、この芳香の出力先を制限するように動作することができる。
【００１５】
発煙部１４２の発散孔から噴出するスモークは、発散孔の近傍に配置した発光ダイオードにより着色可能な白色であることが好ましい。この発煙部１４２の発散孔は、芳香発散部１４１の発散孔と同様、発煙する発煙（スモーク）原料１２２の残量が少なかったり、端末周辺の環境が多量のスモークの発煙に適さなかったりする場合に、スモークの発散量を制限するように動作することができる。また、この発散孔は、スモークの発散方向が好ましくない場合に、このスモークの出力先を制限するように動作することができる。
【００１６】
センシング部１５０は、芳香センサ１５１、煙センサ１５２、カメラ１５３、マイク１５４、光センサ１５５、位置センサ１５６、を備え、これらにより芳香を発散する環境の環境情報を取得する。芳香センサ１５１は、携帯端末本体１００Ｂの近傍に漂っている匂いの種類や移動方向などを検出し、検出結果を発散／消臭制御部１３１に送る。煙センサ１５２は、通信端末本体１００Ｂの近傍にスモークが漂っているか否かを検出し、検出結果を発煙／消煙制御部１３２に送る。カメラ１５３は、着信等を芳香発散により通知する通知対象ユーザが近傍にいるか否かをユーザの顔を撮像しているか否かで検出し、検出結果を制御部１３０に送る。マイク１５４は、携帯端末本体１００Ｂの近傍の風力や風向きを集音したノイズにより検出し、検出結果を制御部１３０に送る。光センサ１５５は、折り畳み方式の携帯端末本体１００Ｂの開閉状態や、携帯端末本体１００Ｂが屋内にあるか否かなどを受光光量の強弱により検出し、検出結果を制御部１３０に送る。位置センサ１５６は、携帯端末本体１００Ｂの現在位置をＧＰＳ機能により検出し、検出結果を制御部１３０に送る。
【００１７】
無線部１６０は、携帯端末本体１００Ｂから送信する送信信号、及び通信相手から受信した受信信号を変復調して送受信し、送受信情報を制御部１３０に送る。ユーザＩ／Ｆ１７０は、携帯端末本体１００Ｂのモード設定やモード切り替えなどのユーザ設定（操作）情報を制御部１３０に送る。タイマー１８０は、ユーザにより予め設定された芳香の発散タイミングや発散時間、及びスモークの噴出タイミングや噴出時間などを計測し、計測結果を制御部１３０に送る。メモリ１９０は、芳香発散部１４１が過去に発散した芳香の発散履歴や、発煙部１４２が過去に発煙したスモークの噴出履歴などを記憶し、ユーザ要求に応じて記憶している履歴情報を制御部１３０に送る。発散履歴（噴出履歴）とは、発散した芳香（又はスモーク）の種類、芳香（又はスモーク）の発散時間、芳香（又はスモーク）の発散量、芳香（又はスモーク）の発散方式、芳香（又はスモーク）の発散対象（リンク先）などの記録情報をいう。
【００１８】
なお、この通信端末装置１００においては、芳香発散部１４１、発煙部１４２、芳香センサ１５１及び煙センサ１５２を、通信端末本体１００Ｂ側に設けた構成を採っているが、これらは発散装置本体１００Ａ側に設けてもよい。
【００１９】
また、この通信端末装置１００における芳香発散方式としては、
（１）芳香の発散孔を電磁弁により開閉して芳香発散及び芳香停止を行う電磁弁開閉式
（２）芳香原料１２１を染み込ませたシートの加熱／冷却により芳香発散及び芳香停止を行う加熱／冷却方式
（３）芳香原料１２１を注射針により濾紙に染み込ませて芳香発散を行う濾紙注入方式
（４）芳香原料１２１を高圧ガスが封入されたノズル噴射ボンベに収容し、ノズルの押下により芳香発散を行うノズル噴射式
などの何れの方式であってもよいが、芳香の発散制御をより高精度に行うには、上記の（４）ノズル噴射方式を採ることが好ましい。
【００２０】
次に、本例の通信端末装置１００の動作について説明する。この通信端末装置１００では、マナーモード設定、混合発散設定、発散保留設定、香料混合パラメータ設定、タイマー設定、などの各種の設定を行う。
【００２１】
マナーモード設定では、ユーザへの着信等の通知を“着メロ”や“芳香発散”などで行った場合、他者に迷惑を掛けたり芳香原料１２１が無駄に消費されたりするおそれがある状況のときに、他者の迷惑や芳香原料１２１の無駄な消費を防止できる他の通知方法で着信等の通知を行うようにユーザ操作により設定する。この通信端末装置１００においては、このマナーモード設定により、ユーザへの着信時の通知設定を、振動部１４５のバイブレータの駆動（振動）や、発光部１４６の発光素子（ＬＥＤ）の点滅等で通知するマナーモードに切り替えるようにしている。
【００２２】
混合発散設定では、複数の芳香原料１２１を混合した芳香を生成して発散するように通信端末装置１００の動作設定を行う。なお、ここでは、説明の便宜上、単一の芳香原料１２１を用いて芳香を生成する場合も含むものとする。
【００２３】
発散保留設定では、ユーザ設定による芳香発散が不可能な場合、例えば通信端末装置１００が芳香の発散条件を満たしていないと判定した場合に、芳香の発散を保留するように通信端末装置１００の動作設定を行う。ここで、通信端末装置１００が芳香の発散条件を満たしているか否かの判定は、例えば、ユーザ操作によりマナーモードを設定しているか否か、及びセンシング部１５０の各センサで検出した携帯端末本体１００Ｂの環境情報が芳香の発散に適した環境条件を満たしているか否か、などによって判断する。なお、ここでは、このような発散保留設定が行われる場合の条件を保留条件ということとする。この発散保留設定は、上記保留条件であるマナーモード設定が解除され、かつ携帯端末本体１００Ｂの環境が芳香の発散に適した環境条件を満たすまで維持される。
【００２４】
香料混合パラメータ設定では、複数の芳香原料１２１を混合した芳香を発散する場合に、複数の芳香原料１２１の中から選択した複数の香料を、どのような比率で混合するかという混合条件（混合パラメータ）を設定する。
【００２５】
タイマー設定では、予め芳香の発散パターンが用意されている場合に、この発散パターンに対応する芳香原料１２１の発散／停止のタイミングや発散間隔などを設定する。
【００２６】
本例の通信端末装置１００においては、芳香制御要求処理、芳香発散処理、発散事前処理、発散処理、芳香発散停止（抑止）処理、などの処理が適時実行される。
【００２７】
図２に、芳香制御要求処理の動作フローを示す。この芳香制御要求処理では、まず、芳香をメモリ１９０の記憶されている履歴情報に基づいて発散するか否か判断する（ステップＳＴ２０１）。ここで、芳香を履歴から発散すると判断した場合、例えば、携帯端末本体１００Ｂの表示部１４４に表示されている履歴画面から選択した芳香を発散させる場合には、メモリ１９０の記憶されている履歴情報（芳香発散部１４１が過去に発散した芳香の発散履歴情報）を取得するための履歴情報取得処理を行う（ステップＳＴ２０２）。
【００２８】
そして、ステップＳＴ２０２の履歴情報取得処理が完了した後、またはステップＳＴ２０１で芳香を履歴から発散しないと判断した場合には、芳香発散要求の有無を判断する（ステップＳＴ２０３）。この芳香発散要求の有無は、例えば、ユーザが着信時などの通知を芳香の発散で行うように設定している場合には、無線部１６０が電話やメール等の着信信号を受信したか否か、つまり無線部１６０から制御部１３０への着信信号入力の有無で判断する。また、ユーザが芳香の発散テストを行う場合や、ユーザが表示部１４４に表示されている履歴画面から選択した芳香を発散させる場合には、芳香発散要求の有無を、ユーザＩ／Ｆ１７０から制御部１３０への芳香発散テスト信号入力の有無で判断する。
【００２９】
ステップＳＴ２０３で芳香発散要求ありと判断した場合には、芳香を発散するための芳香発散処理を行う（ステップＳＴ２０４）。一方、ステップＳＴ２０３で芳香発散要求なしと判断した場合には、芳香の発散を抑止する芳香発散の停止（抑止）要求の有無を判断する（ステップＳＴ２０５）。ここで、停止（抑止）要求ありと判断した場合には、芳香の発散を抑止するための芳香発散停止（抑止）処理を行う（ステップＳＴ２０６）。そして、この芳香発散停止（抑止）処理が完了した後、またはステップＳＴ２０５で停止（抑止）要求なしと判断した場合、例えばユーザ設定により履歴参照時には芳香を発散させない場合には、芳香の発散履歴を登録するための芳香発散履歴登録処理を行う（ステップＳＴ２０７）。
【００３０】
まず、ステップＳＴ２０３で芳香発散要求ありと判断して、ステップＳＴ２０４の芳香発散処理がスタートした場合について説明する。図３に、この芳香発散処理の動作フローを示す。
【００３１】
この芳香発散処理では、まず携帯端末本体１００Ｂの着信時におけるユーザへの通知設定がマナーモードに設定されているか否か判断する（ステップＳＴ３０１）。ここで、通知設定がマナーモードに設定されていると判断した場合には、マナー動作（マナーモード時の端末動作）に関する端末設定情報（ユーザ設定）を取得するためのマナーモード中の動作情報取得処理を行う（ステップＳＴ３０２）。
【００３２】
一方、ステップＳＴ３０１で、通知設定がマナーモードに設定されていないと判断した場合には、前回の発散処理による芳香が現在発散中か否か判断する（ステップＳＴ３０３）。ここで、前回の発散処理による芳香が現在発散中と判断した場合には、芳香発散動作（芳香発散時の端末動作）に関する端末設定情報（ユーザ設定）を取得するための発散中の動作情報取得処理を行う（ステップＳＴ３０４）。
【００３３】
次いで、ステップＳＴ３０２のマナーモード中の動作情報取得処理、又はステップＳＴ３０４の発散中の動作情報取得処理により取得した動作情報から、ユーザ設定による芳香発散が可能か否か、つまり発散ＯＫか否か判断する（ステップＳＴ３０５）。ここで、発散ＯＫと判断した場合には、上述の混合発散設定により、例えば現在発散中の芳香原料１２１に今回新たに発散する芳香原料１２１を混合して芳香を発散するように通信端末装置１００の動作設定を行う（ステップＳＴ３０６）。
【００３４】
一方、ステップＳＴ３０５で、発散ＯＫではない（発散ＮＧ）と判断した場合には、今回の芳香発散を保留するか否か判断する（ステップＳＴ３０７）。ここで、ユーザが今回の芳香発散を保留する選択をした場合には、上述の発散保留設定により、今回の芳香発散を保留するように通信端末装置１００の動作設定を行う（ステップＳＴ３０８）。一方、ステップＳＴ３０７で、ユーザが今回の芳香発散を保留しない選択をした場合には、ステップＳＴ２０１での芳香発散要求を破棄して（ステップＳＴ３０９）、芳香発散処理を終了する。
【００３５】
次いで、ステップＳＴ３０６の混合発散設定、及びステップＳＴ３０８の発散保留設定が完了した後、又はステップＳＴ３０３で、前回の発散処理による芳香は発散中ではないと判断した場合には、発散事前処理を行い（ステップＳＴ３１０）、その後、発散処理を行って（ステップＳＴ３１１）、芳香発散処理を終了する。
【００３６】
このように、この芳香発散処理では、ユーザ設定による芳香発散可否の確認と、通信端末装置１００が芳香発散状態か否かを確認し、今回の発散要求に対し、芳香を発散するのか、保留するのか、発散要求を破棄するのかを決定する。
【００３７】
次に、ステップＳＴ３１０の発散事前処理について説明する。図４に、この発散事前処理の動作フローを示す。この発散事前処理では、まず、芳香発散時のユーザ設定情報を取得するためのユーザ設定取得処理を行い（ステップＳＴ４０１）、次いで、端末状態情報を取得するための端末状態取得処理を行う（ステップＳＴ４０２）。
【００３８】
ステップＳＴ４０１のユーザ設定取得処理では、芳香を発散する際のユーザ設定、例えば、発散する芳香の種類、芳香の発散量、芳香の発散方向（芳香発散部１４１の発散孔の向きにより調整される）、芳香の発散パターン、などを取得する。
【００３９】
また、ステップＳＴ４０２の端末状態取得処理では、通信端末装置１００の状態、例えば、携帯端末本体１００Ｂのスタイル（開閉状態）、原料蓄積部１２０の芳香原料１２１の残量、携帯端末本体１００Ｂの周辺の環境（周辺情報）、などをセンシング部１５０の各センサの検出結果から取得する。
【００４０】
次いで、ステップＳＴ４０２の端末状態取得処理が完了した後、センシング部１５０の芳香センサ１５１が起動しているか否か判断する（ステップＳＴ４０３）。ここで、芳香センサ１５１が起動していると判断した場合には、携帯端末本体１００Ｂの近傍に漂っている匂いの種類や移動方向などの芳香情報を取得するための端末周辺の芳香情報取得処理を行う（ステップＳＴ４０４）。そして、この端末周辺の芳香情報取得処理で取得した芳香情報から、芳香の発散が可能か否か判断する（ステップＳＴ４０５）。
【００４１】
ステップＳＴ４０５で、芳香の発散が可能と判断した場合、又はステップＳＴ４０３で芳香センサ１５１が起動していないと判断した場合には、携帯端末本体１００Ｂの近傍に漂っている匂いの消臭が必要か否か判断する（ステップＳＴ４０６）。ここで、消臭が必要と判断した場合には、発散抑止部１１０の送風部１１１、吸引部１１２、消臭剤噴射部１１３のうち、ユーザが選択した少なくとも１つを動作させて、携帯端末本体１００Ｂの近傍に漂っている匂いを消臭するための消臭処理を行う（ステップＳＴ４０７）。そして、この消臭処理が完了した後、又はステップＳＴ４０６で消臭が不要と判断した場合には、原料蓄積部１２０の複数の芳香原料１２１の中からユーザが設定した芳香を選択するための芳香選択処理を行う（ステップＳＴ４０８）。
【００４２】
次いで、ステップＳＴ４０８の芳香選択処理が完了した後、ステップＳＴ３０８の発散保留設定が行われているか否か判断する（ステップＳＴ４０９）。ここで、発散保留設定が行われていないと判断した場合には、ステップＳＴ３０６の混合発散設定で設定された混合発散の有無を判断する（ステップＳＴ４１０）。
【００４３】
ステップＳＴ４１０で、混合発散ありと判断した場合には、複数の芳香原料１２１の中から選択した複数の香料を、どのような比率で混合するかという混合条件（混合パラメータ）を設定するための香料混合パラメータ設定処理を行う（ステップＳＴ４１１）。そして、この香料混合パラメータ設定処理が完了した後、又はステップＳＴ４１０で混合発散なしと判断した場合には、ユーザ設定による芳香の発散パターンの有無を判断する（ステップＳＴ４１２）。
【００４４】
ステップＳＴ４１２で、発散パターンありと判断した場合には、この発散パターンに対応する芳香原料１２１の発散／停止のタイミングや発散間隔などを設定するためのタイマー設定処理を行う（ステップＳＴ４１３）。そして、このタイマー設定処理が完了した後、又はステップＳＴ４１２で発散パターンなしと判断した場合には、発散する香料の発散量制限の有無を判断する（ステップＳＴ４１４）。
【００４５】
ここで、発散する芳香原料１２１の残量が少なかったり、端末周辺の環境が多量の芳香発散に適さなかったりして、ステップＳＴ４１４で発散量制限ありと判断した場合には、芳香の発散量のパラメータを更新するための芳香発散量パラメータ更新処理を行う（ステップＳＴ４１５）。そして、この芳香発散量パラメータ更新処理が完了した後、又はステップＳＴ４１４で発散量制限なしと判断した場合には、方向の出力先の制限の有無を判断する（ステップＳＴ４１６）。
【００４６】
ここで、芳香の発散方向が好ましくなく、ステップＳＴ４１６で出力先制限ありと判断した場合には、芳香の出力先のパラメータを更新するための芳香出力先パラメータ更新処理を行う（ステップＳＴ４１７）。そして、この芳香出力先パラメータ更新処理が完了した後、又はステップＳＴ４１６で出力先制限なしと判断した場合には、上述した各種の設定パラメータによる動作を処理するための各種設定パラメータ動作処理を行う（ステップＳＴ４１８）。
【００４７】
一方、ステップＳＴ４０５で、発散不可能と判断した場合には、ステップＳＴ４０４で取得した端末周辺の芳香取得情報を保持するための芳香取得情報フラグ設定を行う（ステップＳＴ４１９）。そして、この芳香取得情報フラグ設定、又はステップＳＴ４１８の各種設定パラメータ動作処理、又はステップＳＴ４０９で発散保留設定ありと判断した場合には、通信端末装置１００の周辺情報を再取得するか否か判断する（ステップＳＴ４２０）。ここで、周辺情報を再取得しないと判断した場合には、上述の発散事前処理を終了する。一方、周辺情報を再取得すると判断した場合には、タイマー１８０によるタイマー制御を行い（ステップＳＴ４２１）、芳香センサ１５１の起動の有無を判断するステップＳＴ４０３以下の動作を所定のタイミングで繰り返す。
【００４８】
なお、ステップＳＴ４０５で発散不可と判断した場合、つまり、端末周辺の情報を取得し、取得した情報から芳香発散による着信通知等が適さないと判断した場合、例えばユーザが飲食店等の匂いのきつい場所にいるときなどには、任意の時間間隔で再度、端末の周辺情報を取得し、芳香発散のタイミングを窺うか、あるいは芳香の発散要求を破棄する。
【００４９】
また、ステップＳＴ４０９で発散保留設定ありと判断した場合は、保留条件が解除されるまで、もしくは発散要求が破棄されるまで、任意の時間間隔で端末状態及び端末の周辺情報を取得し、芳香の発散処理を待つ。
【００５０】
次に、ステップＳＴ３１１の発散処理について説明する。図５に、ステップＳＴ３１１の発散処理の動作フローを示す。この発散処理では、まず、携帯端末本体１００Ｂの状態を更新するための端末状態更新処理を行う（ステップＳＴ５０１）。そして、この端末状態更新処理が完了した後、芳香の発散を継続するか否か判断する（ステップＳＴ５０２）。
【００５１】
ステップＳＴ５０２で、芳香の発散を継続すると判断した場合には、発散する芳香の種別を変更するか否か判断する（ステップＳＴ５０３）。ここで、芳香の種別を変更すると判断した場合には、原料蓄積部１２０の芳香原料１２１の種類を変更するための芳香原料変更処理を行う（ステップＳＴ５０４）。そして、この芳香原料変更処理が完了した後、又はステップＳＴ５０３で芳香の種別を変更しないと判断した場合には、発散する芳香量を変更するか否か判断する（ステップＳＴ５０５）。
【００５２】
ステップＳＴ５０５で、芳香量を変更すると判断した場合には、発散する芳香量を変更するための芳香量変更処理をおこなう（ステップＳＴ５０６）。そして、この芳香量変更処理が完了した後、又はステップＳＴ５０５で芳香量を変更しないと判断した場合には、発散する芳香の出力先を変更するか否か判断する（ステップＳＴ５０７）。
【００５３】
ステップＳＴ５０７で、芳香の出力先を変更すると判断した場合には、発散する芳香の出力先を変更するための芳香出力先変更処理をおこなう（ステップＳＴ５０８）。そして、この芳香出力先変更処理が完了した後、又はステップＳＴ５０７で芳香の出力先を変更しないと判断した場合には、芳香の発散パターンを変更するか否か判断する（ステップＳＴ５０９）。
【００５４】
ステップＳＴ５０９で、芳香の発散パターンを変更すると判断した場合には、発散する芳香の発散パターンを変更するための発散パターン変更処理をおこなう（ステップＳＴ５１０）。そして、この発散パターン変更処理が完了した後、又はステップＳＴ５０９で芳香の発散パターンを変更しないと判断した場合には、通信端末装置１００の芳香の状態を更新するための芳香状態更新処理を行う（ステップＳＴ５１１）。
【００５５】
次いで、ステップＳＴ５１１の芳香状態更新処理が完了した後、通知部１４０の芳香発散部１４１の発散孔から芳香を出力するための芳香出力処理を行う（ステップＳＴ５１２）。なお、この芳香出力処理では、芳香の発散中においても、定期的に芳香の発散状態と端末の周辺情報を取得し、任意のタイミングで、芳香種別、芳香量、芳香出力先、発散パターン等を変更することが可能になっている。
【００５６】
そして、ステップＳＴ５１２の芳香出力処理が完了した後、通信端末装置１００の周辺情報を再取得するか否か判断する（ステップＳＴ５１３）。ここで、周辺情報を再取得しないと判断した場合には、上述の発散処理を終了し、周辺情報を再取得すると判断した場合には、ステップＳＴ５０１の端末状態更新処理に戻って、上述の発散処理を繰り返す。
【００５７】
一方、ステップＳＴ５０２で、芳香の発散を継続しないと判断した場合には、通信端末装置１００が芳香の発散を保留するか否か判断する（ステップＳＴ５１４）。ここで、発散保留すると判断した場合には、タイマー１８０によるタイマー処理を行った後（ステップＳＴ５１５）、ステップＳＴ５０１の端末状態更新処理に戻って、上述の発散処理を繰り返す。なお、ステップＳＴ５１５のタイマー処理は、事前処理ではなく、上述した一連の発散処理の中でのタイマー制御である。
【００５８】
また、ステップＳＴ５０２で、芳香の発散を継続しないと判断し、かつステップＳＴ５１４で、通信端末装置１００が芳香の発散を保留しないと判断した場合には、芳香の発散を停止（抑止）するための芳香発散停止（抑止）処理を行った後（ステップＳＴ５１６）、ステップＳＴ５１３に移行して通信端末装置１００の周辺情報を再取得するか否か判断する。
【００５９】
次に、ステップＳＴ５１６の芳香発散停止（抑止）処理について説明する。図６に、この芳香発散停止（抑止）処理の動作フローを示す。この芳香発散（抑止）処理では、まず、芳香の発散の有無を判断する（ステップＳＴ６０１）。ここで、芳香の発散ありと判断した場合には、発散している芳香の抑止方法を選択するための抑止方法取得処理を行う（ステップＳＴ６０２）。この抑止方法取得処理で取得可能な抑止方法としては、（１）消臭処理、（２）送風処理、（３）吸引処理、（４）放置処理、がある。
【００６０】
この芳香発散停止（抑止）処理では、まず、ステップＳＴ６０２の抑止方法取得処理で消臭処理を選択したか否か判断する（ステップＳＴ６０３）。ここで、消臭処理を選択したと判断した場合には、発散抑止部１１０の消臭剤噴射部１１３により芳香を抑止する方法を選択し、消臭剤噴射口から消臭剤１２３を噴射して、発散している芳香を消臭するための消臭処理を行う（ステップＳＴ６０４）。
【００６１】
次いで、ステップＳＴ６０４の消臭処理が完了した後、又はステップＳＴ６０３で消臭処理を選択しないと判断した場合には、ステップＳＴ６０２の抑止方法取得処理で送風処理を選択したか否か判断する（ステップＳＴ６０５）。ここで、送風処理を選択したと判断した場合には、発散抑止部１１０の送風部１１１により芳香を抑止する方法を選択し、送風器（ファン）を駆動して、発散している芳香を吹き飛ばすための送風処理を行う（ステップＳＴ６０６）。
【００６２】
次いで、ステップＳＴ６０６の送風処理が完了した後、又はステップＳＴ６０５で送風処理を選択しないと判断した場合には、ステップＳＴ６０２の抑止方法取得処理で吸引処理を選択したか否か判断する（ステップＳＴ６０７）。ここで、吸引処理を選択したと判断した場合には、発散抑止部１１０の吸引部１１２により芳香を抑止する方法を選択し、吸引器を駆動して、発散している芳香を吸い込むための吸引処理を行う（ステップＳＴ６０８）。
【００６３】
次いで、ステップＳＴ６０８の吸引処理が完了した後、又はステップＳＴ６０７で吸引処理を選択しないと判断した場合には、ステップＳＴ６０２の抑止方法取得処理で放置処理を選択したか否か判断する（ステップＳＴ６０９）。ここで、放置処理を選択したと判断した場合には、発散している芳香が自然に消失するまで待つ抑止方法を選択し、発散している芳香を自然に消失させる放置処理を行う（ステップＳＴ６１０）。
【００６４】
そして、ステップＳＴ６１０の放置処理が完了した後、又はステップＳＴ６０９で放置処理を選択しないと判断した場合、又はステップＳＴ６０１で芳香の発散なしと判断した場合には、通信端末装置１００の周辺情報を再取得するか否か判断する（ステップＳＴ６１１）。ここで、周辺情報を再取得しないと判断した場合には、上述の芳香発散停止（抑止）処理を終了し、周辺情報を再取得すると判断した場合には、ステップＳＴ６０１の芳香の発散有無の判断に戻って、上述の芳香発散停止（抑止）処理を繰り返す。
【００６５】
次に、ステップＳＴ２０７の芳香発散履歴登録処理について説明する。図７に、この芳香発散履歴登録処理の動作フローを示す。この芳香発散履歴登録処理では、まず、携帯端末本体１００Ｂが芳香の発散履歴を登録可能な登録ＯＫの状態であるか否かを判断する（ステップＳＴ７０１）。ここで、携帯端末本体１００Ｂが登録ＯＫの状態であると判断した場合には、登録しようとする芳香の発散履歴に関連付けていた端末状態（ユーザ設定情報）を取得するための関連付け情報取得処理を行う（ステップＳＴ７０２）。
【００６６】
なお、ユーザは事前に芳香の発散履歴と関連付けていた端末状態を選択しておく。芳香の発散履歴としては、例えば、芳香の発散開始時刻、芳香の発散終了時刻、芳香の消臭時刻、端末動作などが挙げられる。ここでいう端末動作とは、芳香発散時における端末状態、例えば、ゲーム中、メール中、ブラウザ閲覧中、音楽再生中、通話中、着信中、発信中、などの動作をさす。
【００６７】
また、この携帯端末本体１００Ｂでは、芳香の発散履歴と関連付ける項目を詳細に設定することも可能である。詳細設定項目としては、例えば、音楽再生中であれば曲名やアーティスト、メール中であれば受信相手や送信相手などである。さらに、この携帯端末本体１００Ｂでは、特定のメロディや画像と芳香の発散履歴とを関連付け、予め特定した固有のメロディを流した際に、発散履歴に基づいて特定の芳香を発散させることも可能である。
【００６８】
次いで、ステップＳＴ７０２の関連付け情報取得処理が完了した後、芳香の発散履歴情報を取得するための芳香発散履歴情報取得処理を行う（ステップＳＴ７０３）。この芳香発散履歴情報取得処理では、携帯端末本体１００Ｂの芳香発散部１４１が現在発散している（もしくは過去に発散した）芳香の芳香情報を取得する。ここでいう芳香情報とは、どのような匂い（芳香原料１２１の種類）の芳香を、どのような形式（発散方式）で、どの程度（発散時間や発散量）発散したか、といった芳香発散時の状態をさす。
【００６９】
次いで、ステップＳＴ７０３の芳香発散履歴情報取得処理が完了した後、発散された芳香情報をベースにユーザへ提示する提示情報（データ）を生成するための履歴提示情報生成処理を行う（ステップＳＴ７０４）。ここでいう提示情報とは、例えば表示部１４４のディスプレイに表示するアイコン、発音部１４３のスピーカから流すメロディ、振動部１４５のバイブレータの振動パターン、発光部１４６のＬＥＤの発光パターンなどをさす。
【００７０】
次いで、ステップＳＴ７０４の履歴提示情報生成処理が完了した後、上述の芳香発散情報、提示情報、及びこれらの情報と関連付けたい端末動作情報をメモリ１９０に保存するための履歴情報登録処理を行う（ステップＳＴ７０５）。そして、この履歴情報登録処理が完了した後、またはステップＳＴ７０１で、携帯端末本体１００Ｂが登録ＯＫの状態ではないと判断した場合に、上述の芳香発散履歴登録処理を終了する。
【００７１】
次に、ステップＳＴ７０４の履歴提示情報生成処理について説明する。図８に、この履歴提示情報生成処理の動作フローを示す。この履歴提示情報生成処理では、まず、上述の芳香情報を取得するための芳香情報取得処理を行う（ステップＳＴ８０１）。
【００７２】
次いで、ステップＳＴ８０１の芳香情報取得処理が完了した後、取得した芳香情報から、上述したアイコン、メロディ、振動パターン、発光パターンなどのうち、どの提示情報を生成することができるかをチェックして、生成する提示情報項目を抽出する生成項目抽出処理を行う（ステップＳＴ８０２）。
【００７３】
次いで、ステップＳＴ８０２の生成項目抽出処理が完了した後、ユーザが芳香の発散履歴を参照する際に提示するアイコン、メロディ、振動パターン、発光パターンを、アイコンデータベース、メロディデータベース、振動、発光パターンデータベースを用いて生成するための提示情報生成処理を行う（ステップＳＴ８０３）。そして、この提示情報生成処理が完了した後、上述の履歴提示情報生成処理を終了する。
【００７４】
次に、本例の通信端末装置１００の芳香発散履歴提示処理について説明する。図９に、この芳香発散履歴提示処理の動作フローを示す。この芳香発散履歴提示処理では、まず、芳香発散時のユーザ設定情報を取得するためのユーザ設定取得処理を行う（ステップＳＴ９０１）。なお、芳香発散時の発散履歴項目については、発散履歴の参照の有無を含め、ユーザ側で事前に選択可能となっている。
【００７５】
次いで、ステップＳＴ９０１のユーザ設定取得処理が完了した後、携帯端末本体１００Ｂが芳香の発散履歴を提示可能な履歴提示ＯＫの状態か否か判断する（ステップＳＴ９０２）。ここで、携帯端末本体１００Ｂが履歴提示ＯＫの状態であると判断した場合には、携帯端末本体１００Ｂが芳香を発散可能な芳香発散ＯＫの状態か否か判断する（ステップＳＴ９０３）。
【００７６】
次いで、ステップＳＴ９０３で、携帯端末本体１００Ｂが芳香発散ＯＫの状態であると判断した場合には、携帯端末本体１００Ｂの周囲の情報を取得するための周囲情報取得処理を行う（ステップＳＴ９０４）。そして、この周囲情報取得処理が完了した後、この周囲情報取得処理で取得した携帯端末本体１００Ｂの周囲の情報から端末周辺の状況が芳香を発散可能な発散ＯＫの状況か否か判断する（ステップＳＴ９０５）。ここで、端末周辺の状況が発散ＯＫの状況であると判断した場合には、提示しようとする芳香の発散履歴の履歴情報を取得するための芳香発散履歴情報取得処理を行う（ステップＳＴ９０６）。
【００７７】
次いで、ステップＳＴ９０６の芳香発散履歴情報取得処理が完了した後、提示しようとする芳香の芳香原料１２１の残量が発散可能な芳香残量ＯＫの状態か否か判断する（ステップＳＴ９０７）。ここで、芳香原料１２１の残量が発散可能な芳香残量ＯＫの状態ではない（芳香残量ＮＧ）と判断した場合には、提示しようとする芳香に代わる近似した匂いの代替芳香を選択するための代替（疑似）芳香選択処理を行う（ステップＳＴ９０８）。このように、この通信端末装置１００は、発散しようとする芳香の芳香原料１２１の残量が少ない場合には、ステップＳＴ９０８で選択した代替（疑似）芳香を発散させることが可能になっている。なお、この代替（疑似）芳香は、ユーザ設定により発散させないように設定することも可能になっている。
【００７８】
そして、ステップＳＴ９０８の代替（疑似）芳香選択処理が完了した後、またはステップＳＴ９０３で芳香発散ＮＧ、ステップＳＴ９０５で発散ＮＧ、ステップＳＴ９０７で芳香残量ＯＫの場合には、携帯端末本体１００Ｂが、提示しようとする芳香の提示情報を表示部１４４のディスプレイに表示可能な表示ＯＫの状態か否か判断する（ステップＳＴ９０９）。ここで、提示情報を表示部１４４のディスプレイに表示ＯＫであると判断した場合には、提示される芳香が、ステップＳＴ９０８で選択した代替（疑似）芳香か否か判断する（ステップＳＴ９１０）。
【００７９】
ステップＳＴ９１０で、提示される芳香が代替（疑似）芳香であると判断した場合には、提示しようとする芳香の提示情報に、提示される芳香が代替（疑似）芳香であることを示す代替情報を付与するための代替情報付与処理を行う（ステップＳＴ９１１）。これにより、発散する芳香が本来の芳香に近似した代替芳香であることを示す代替情報を提示情報のアイコンに付与したり、この代替情報の付与により提示情報のアイコンを別のアイコンに差し替えたりすることが可能になり、発散する芳香が代替芳香であることをユーザが認識できるようになる。
【００８０】
そして、この代替情報付与処理が完了した後、またはステップＳＴ９１０で提示される芳香が代替（疑似）芳香ではないと判断した場合には、芳香の発散履歴を提示する提示情報としてのアイコンのアイコン情報を取得するための芳香履歴アイコン情報取得処理を行う（ステップＳＴ９１２）。
【００８１】
次いで、ステップＳＴ９１２の芳香履歴アイコン情報取得処理が完了した後、またはステップＳＴ９０９で、提示情報を表示部１４４のディスプレイに表示ＯＫの状態ではないと判断した場合には、発音部１４３のスピーカが鳴動ＯＫの状態か否か判断する（ステップＳＴ９１３）。ここで、スピーカが鳴動ＯＫの状態であると判断した場合には、芳香の発散履歴の提示情報としてのメロディ情報を取得するための芳香履歴メロディ情報取得処理を行う（ステップＳＴ９１４）。
【００８２】
そして、ステップＳＴ９１４の芳香履歴メロディ情報取得処理が完了した後、またはステップＳＴ９１３で、スピーカが鳴動ＯＫの状態ではないと判断した場合には、振動部１４５のバイブレータが振動ＯＫの状態か否か判断する（ステップＳＴ９１５）。ここで、バイブレータが振動ＯＫの状態であると判断した場合には、芳香の発散履歴の提示情報としての振動情報を取得するための芳香履歴振動情報取得処理を行う（ステップＳＴ９１６）。
【００８３】
次いで、ステップＳＴ９１６の芳香履歴振動情報取得処理が完了した後、またはステップＳＴ９１５で、バイブレータが振動ＯＫの状態ではないと判断した場合には、発光部１４６のＬＥＤが発光ＯＫの状態か否か判断する（ステップＳＴ９１７）。ここで、ＬＥＤが発光ＯＫの状態であると判断した場合には、芳香の発散履歴の提示情報としての発光情報を取得するための芳香履歴発光情報取得処理を行う（ステップＳＴ９１８）。
【００８４】
そして、ステップＳＴ９１８の芳香履歴発光情報取得処理が完了した後、またはステップＳＴ９１７で、ＬＥＤが発光ＯＫの状態ではないと判断した場合には、芳香の発散履歴を芳香に代わる提示情報に置き換えて提示するための芳香履歴提示処理（ステップＳＴ９１９）を行った後、上述の芳香発散履歴提示処理を終了する。なお、ステップＳＴ９０２で、携帯端末本体１００Ｂが履歴提示ＯＫの状態ではないと判断した場合には、芳香の発散履歴の提示情報を提示しないように設定するための芳香履歴非提示処理（ステップＳＴ９２０）を行った後、ステップＳＴ９１９の芳香履歴提示処理を行って上述の芳香発散履歴提示処理を終了する。
【００８５】
なお、この通信端末装置１００においては、制御部１３０の発散／消臭制御部１３１により、通知部１４０の芳香発散部１４１、及び発散抑止部１１０の送風部１１１、吸引部１１２、消臭剤噴射部１１３を制御して、原料蓄積部１２０の芳香原料１２１の発散制御及び消臭制御を行う場合と同様に、制御部１３０の発煙／消煙制御部１３２により、通知部１４０の発煙部１４２、及び発散抑止部１１０の送風部１１１、吸引部１１２を制御することで、原料蓄積部１２０の発煙（スモーク）原料１２２の発煙制御及び消煙制御を行うことが可能である。このように、着信通知やアラーム等のユーザ通知をスモークの発煙制御で行う場合には、発音部１４３の音、表示部１４４の画面表示、振動部１４５の振動、発光部１４６の光等と、スモークの発煙とが同期するように、発煙タイミングを調整するようにしてよい。また、この場合には、芳香を発散する際に、芳香の発散をスモークの発煙で通知するようにしてもよい。さらに、この場合には、発散する芳香の種類によって、発煙するスモークの色を変化させるようにしてもよい。
【００８６】
以上のように、本発明の通信端末装置１００によれば、発散要求に応じて通知部１４０の芳香発散部１４１が過去に発散した芳香、及び発煙部１４２が過去に発煙した発散履歴をメモリ１９０に蓄積し、当該発散履歴を、表示部１４４のディスプレイに表示するアイコン、発音部１４３のスピーカから流すメロディ、振動部１４５のバイブレータの振動パターン、発光部１４６のＬＥＤの発光パターンなどの芳香やスモークに代わる提示情報に置き換えて提示する。この通信端末装置１００によれば、メモリ１９０に蓄積した発散履歴に基づいて、過去に発散した所望の芳香やスモークを繰り返し再現して発散させることができる。
【００８７】
この通信端末装置１００は、上記の発散履歴として、芳香発散部１４１が発散した芳香（及び発煙部１４２が発煙したスモーク）の種類、発散時間、発散量、発散方式等をメモリ１９０に記録することが可能である。また、この通信端末装置１００は、芳香発散時及びスモーク発煙時に行っていた種々の端末動作と関連付けてメモリ１９０に蓄積することが可能である。例えば、この通信端末装置１００は、芳香発散時にカメラ１５３で撮影(記録)していたコンテンツ、芳香発散時に再生していた動画、静止画、音楽コンテンツ、キーワード等、及び通話、発信、着信、アラーム鳴動、ゲーム実行時の端末動作と、発散中の芳香情報とを関連付けることが可能である。
【００８８】
また、この通信端末装置１００では、履歴情報を利用した芳香発散制御やスモーク発煙制御が可能である。これにより、例えば、メモリ１９０に記録した芳香履歴から任意の履歴情報を選択した際に、記録当時の芳香を発散させることが可能になる。また、履歴情報に存在する端末動作を行った際に、記録当時の芳香を自動的に発散させることが可能になる。
【００８９】
また、この通信端末装置１００では、芳香発散やスモーク発煙を行うことなく、発散された芳香やスモークをユーザに連想、認識させることが可能である。例えば、芳香特性を連想させる発光部１４６の発光、もしくは表示部１４４の画面上でのユニークなアイコン表示を行うことが可能である。これにより、芳香を発散することが禁止されている状況、または芳香を発散する必要がない状況において、ユーザに対し、動画、画像、音楽、キーワード等に関連付けされた芳香情報をユニークなアイコン表現で、芳香の発散履歴を提示することが可能になる。ここで、芳香を発散する替わりに、音、光、振動によるユーザ通知を行うことも可能である。このとき、単に鳴動、発光だけでなく、芳香を連想させるような音や光の変化による提示も可能である。
【００９０】
また、この通信端末装置１００では、発散される芳香やスモーク毎にユニークなユーザ提示が可能である。また、新規の芳香やスモークを連想させるユニークなアイコンの自動生成が可能である。これにより、新規の芳香情報を入手した際に、芳香制作者側からのアイコン情報がなければ、ユーザが既に所有している芳香アイコン情報をベースに、芳香成分、芳香情報(ミント系、ローズ系等)と新規の芳香情報とを比較し、芳香特性が一番近い芳香を抽出し、そのアイコンを自動的に設定して、ユーザ提示することが可能になる。また、この通信端末装置１００では、芳香アイコンのカスタマイズが可能である。これにより、ユーザ編集することでユーザ特有のアイコンを作成することができ、ユーザ好みの愛着度の高いアイコンを作成でき、提示されたアイコンから芳香を容易に連想できるようになる。
【００９１】
また、この通信端末装置１００では、芳香情報(芳香特性)やスモーク情報から新規に香りアイコンやスモークアイコンを生成することが可能である。例えば、発散可能な芳香の芳香特性を何種類かの特定パターンに区分し、それぞれの特定パターンとそれに対応したアイコンパーツを関連付けて携帯端末本体１００Ｂのメモリ１９０や、携帯端末本体１００Ｂとアクセス可能なサーバ等に蓄積しておくことができる。ここでの芳香特性は、テキストデータでも、センシング部１５０の各種センサによる測定値でもよい。これにより、例えば、アイコンの背景パーツの場合、酸味系は黄色、甘い系は赤色などとし、文字パーツの場合、男性向けは青色、女性向けはピンク色等、芳香特性を任意パターンに区分し、それらの組合せにより自動的に芳香アイコンを生成することが可能になる。
【００９２】
また、この通信端末装置１００では、作成した香りアイコンやスモークアイコンをユーザ間で流通することが可能である。これにより、香りアイコンやスモークアイコンを他ユーザに送信することで、他端末でも同じ芳香やスモークを発散することが可能になる。また、この通信端末装置１００では、香りアイコンやスモークアイコンの構成部品となるパーツを購入、譲渡することが可能である。これにより、複数のアイコンパーツの組合せによって、発散可能な芳香の芳香特性やスモークの発煙特性を変化させることが可能になる。また、これらのアイコンには、芳香やスモークのブレンド情報を設定することが可能である。これにより、既存の芳香やスモークに特定のアイコンパーツを組合せることで、特別なブレンド比率の芳香やスモークを発生させることが可能になる。
【産業上の利用可能性】
【００９３】
本発明に係る通信端末装置は、メモリに蓄積した発散履歴に基づいて、過去に発散した所望の芳香を繰り返し再現して発散させることができるので、芳香発散機能を備えた携帯電話機等の通信端末装置として有用である。
【図面の簡単な説明】
【００９４】
【図１】本発明の一実施の形態に係る通信端末装置の構成を示すブロック図
【図２】本発明の一実施の形態に係る通信端末装置の芳香制御要求処理の動作を示すフローチャート
【図３】本発明の一実施の形態に係る通信端末装置の芳香発散処理の動作を示すフローチャート
【図４】本発明の一実施の形態に係る通信端末装置の発散事前処理の動作を示すフローチャート
【図５】本発明の一実施の形態に係る通信端末装置の発散処理の動作を示すフローチャート
【図６】本発明の一実施の形態に係る通信端末装置の芳香発散停止（抑止）処理の動作を示すフローチャート
【図７】本発明の一実施の形態に係る通信端末装置の芳香発散履歴登録処理の動作を示すフローチャート
【図８】本発明の一実施の形態に係る通信端末装置の履歴提示情報生成処理の動作を示すフローチャート
【図９】本発明の一実施の形態に係る通信端末装置の芳香発散履歴提示処理の動作を示すフローチャート
【符号の説明】
【００９５】
１００  通信端末装置
１００Ａ  発散装置本体
１００Ｂ  携帯端末本体
１１０  発散抑止部
１２０  原料蓄積部
１２１  芳香原料
１３０  制御部
１４０  通知部
１４１  芳香発散部
１４２  発煙部
１４３  発音部
１４４  表示部
１４５  振動部
１４６  発光部
１５０  センシング部
１５１  芳香センサ
１６０  無線部
１７０  ユーザＩ／Ｆ
１８０  タイマー
１９０  メモリ（データベース部）
【図１】
2009021703.tif 000003
【図２】
2009021703.tif 000004
【図３】
2009021703.tif 000005
【図４】
2009021703.tif 000006
【図５】
2009021703.tif 000007
【図６】
2009021703.tif 000008
【図７】
2009021703.tif 000009
【図８】
2009021703.tif 000010
【図９】
2009021703.tif 000011